(57)【要約】【課題】妊婦の血圧を妊娠経過暦によって変動する正常範囲を考慮して適正且つ迅速に評価可能にする。【解決手段】妊婦用血圧表示装置１は、計測された血圧値を出力する血圧計測部１１と、入力された妊娠経過情報と計時情報によって妊婦経過情報入力後の妊娠経過暦を算出する妊娠経過暦算出部１２と、妊娠経過暦によって変動する血圧正常範囲を算出する正常範囲算出部１３と、血圧値と血圧値の計測時における血圧正常範囲を合わせて表示する表示部１４を備える。【選択図】図２
2013165831.tif 000002
【特許請求の範囲】
【請求項１】
計測された血圧値を出力する血圧計測部と、
入力された妊娠経過情報と計時情報によって前記妊婦経過情報入力後の妊娠経過暦を算出する妊娠経過暦算出部と、
前記妊娠経過暦によって変動する血圧正常範囲を算出する正常範囲算出部と、
前記血圧値と当該血圧値の計測時における前記血圧正常範囲を合わせて表示する表示部を備えることを特徴とする妊婦用血圧表示装置。
【請求項２】
前記表示部は、前記妊婦経過暦に対する前記血圧正常範囲の変動曲線を表示すると共に、前記血圧値を計測時の前記妊娠経過暦に対応させて表示することを特徴とする請求項１記載の妊婦用血圧表示装置。
【請求項３】
前記変動曲線は、統計的に求められる正常血圧の上限曲線と下限曲線であることを特徴とする請求項２記載の妊婦用血圧表示装置。
【請求項４】
前記妊娠経過暦算出部は出産予定日を算出し、
前記表示部は、前記変動曲線を前記妊娠経過情報入力時から前記出産予定日まで表示することを特徴とする請求項２又は３に記載された妊婦用血圧表示装置。
【請求項５】
前記正常範囲算出部は、前記妊娠経過暦算出部の出力に基づいて、妊娠経過に対する正常血圧変動情報とその他の正常血圧変動情報から前記血圧正常範囲を算出することを特徴とする請求項１〜４のいずれかに記載の妊婦用血圧表示装置。
【請求項６】
前記その他の正常血圧変動情報は、季節変化に対する正常血圧変動情報であることを特徴とする請求項５記載の妊婦用血圧表示装置。
【請求項７】
環境温度を出力する環境温度出力部を備え、
前記その他の正常血圧変動情報は、環境温度に対する正常血圧変動情報であり、
前記正常範囲算出部は、前記妊娠経過暦算出部と前記環境温度出力部の出力に基づいて、前記血圧正常範囲を算出することを特徴とする請求項５又は６記載の妊婦用血圧表示装置。
【請求項８】
前記環境温度出力部は、温度計測手段によって計測された環境温度を出力することを特徴とする請求項７記載の妊婦用血圧表示装置。
【請求項９】
前記温度計測手段は、当該妊婦用血圧表示装置に内蔵されていることを特徴とする請求項８記載の妊婦用血圧表示装置。
【請求項１０】
前記温度計測手段は、前記血圧計測部に計測値を入力する血圧計測手段に内蔵されていることを特徴とする請求項８記載の妊婦用血圧表示装置。
【請求項１１】
前記環境温度出力部は、遠隔の温度計測手段によって得た環境温度を出力することを特徴とする請求項７記載の妊婦用血圧表示装置。
【請求項１２】
前記環境温度出力部は、公共データアクセス手段から得た環境温度を出力することを特徴とする請求項７記載の妊婦用血圧表示装置。
【請求項１３】
前記環境温度出力部は、当該妊婦用血圧表示装置が備える操作入力器から手入力された信号に基づいて環境温度を出力することを特徴とする請求項７記載の妊婦用血圧表示装置。
【請求項１４】
前記血圧計測部の出力と前記正常範囲算出部の出力に基づいて前記血圧値の異常を判定する血圧異常判定部を備え、
前記表示部は前記血圧異常判定部の判定結果を表示することを特徴とする請求項１〜１３のいずれかに記載の妊婦用血圧表示装置。
【請求項１５】
前記表示部は、前記血圧値が前記血圧正常範囲を逸脱した場合に警告表示することを特徴とする請求項１４記載の妊婦用血圧表示装置。
【請求項１６】
血圧計測器からの計測信号が入力される演算処理装置と該演算処理装置の出力を表示する表示器を備えた妊婦用血圧表示装置を用いた血圧表示方法であって、
前記妊婦用血圧表示装置にユーザの妊娠経過情報を入力する妊娠経過情報入力工程と、
入力された妊娠経過情報と前記妊婦用血圧表示装置が出力する計時情報によって妊娠経過暦を算出する妊娠経過暦算出工程と、
前記血圧計測器を作動させてユーザの血圧を計測する血圧計測工程と、
前記妊娠経過暦によって変動する血圧正常範囲を算出する正常範囲算出工程と、
前記血圧値と当該血圧値の計測時における前記血圧正常範囲を合わせて表示する表示工程とを有することを特徴とする血圧表示方法。
【発明の詳細な説明】
【技術分野】
【０００１】
本発明は、妊婦の血圧を妊娠経過に対応して表示する妊婦用血圧表示装置に関するものである。
【背景技術】
【０００２】
妊婦暦を表示する装置として、診察日と妊婦の最終月経初日を読み込むことにより、診察日までの妊娠経過日数を算出して週日表示すると共に、分娩予定日を算出して月日表示する手段を備え、妊婦個々について、胎児発育状況評価ファクターを定期的に計測して計測データを記憶し、この計測データに基づいて妊婦個々の妊娠経過図を自動的に作成して表示するものが知られている（特許文献１参照）。
【先行技術文献】
【特許文献】
【０００３】
【特許文献１】特開平０１−２５０２３１号公報
【発明の概要】
【発明が解決しようとする課題】
【０００４】
妊婦の血圧は妊娠初期から中期にかけて緩やかに低下し、その後妊娠後期に向けて妊娠前レベルかそれ以上まで上昇することが一般に知られている。また一方では、妊娠経過に伴う血圧変動は、季節、具体的には環境温の影響を受け、同じ妊娠週数であっても、その季節によって６〜７ｍｍＨｇの血圧差が生じることが判ってきた。これらの事実によると、妊婦の血圧は妊娠週数だけでなく季節や環境温の影響を考慮して評価される必要があるが、従来技術によると、妊婦期間中に一定の正常範囲を用いているため、前述したような血圧の変動傾向を踏まえた評価を行うことが困難であった。
【０００５】
また、出産月が異なる個々の妊婦に対しては、妊娠経過に伴う血圧変動の影響と季節や環境温による血圧変動の影響が個別に異なるため、評価者が個々の妊婦に対して個別の正常範囲を把握することは困難であり、このような個別の正常範囲を計測の度に計算で求めるのも煩雑で時間が掛かる。このため、計測された妊婦の血圧が正常か否かを瞬時且つ適正に評価することが困難であった。
【０００６】
本発明は、このような問題に対処することを課題の一例とするものである。すなわち、妊婦の血圧を妊娠経過暦によって変動する正常範囲を考慮して適正且つ迅速に評価可能にすること、等が本発明の目的である。
【課題を解決するための手段】
【０００７】
このような目的を達成するために、本発明による妊婦用血圧表示装置は、計測された血圧値を出力する血圧計測部と、入力された妊娠経過情報と計時情報によって前記妊婦経過情報入力後の妊娠経過暦を算出する妊娠経過暦算出部と、前記妊娠経過暦によって変動する血圧正常範囲を算出する正常範囲算出部と、前記血圧値と当該血圧値の計測時における前記血圧正常範囲を合わせて表示する表示部を備える。
【０００８】
このような特徴を備える本発明は、妊娠経過週数だけでなく季節や環境温度などによっても変動する血圧正常範囲を正常範囲算出部が算出し、表示部が計測された血圧値と血圧計測時の血圧正常範囲を合わせて表示するので、妊婦の血圧を妊娠経過暦によって変動する正常範囲を考慮して適正且つ迅速に評価することができる。
【図面の簡単な説明】
【０００９】
【図１】本発明の一実施形態に係る妊婦用血圧表示装置のシステム構成例を示した説明図である。
【図２】本発明の実施形態に係る妊婦用血圧表示装置の処理機能を示したブロック図である。
【図３】本発明の実施形態に係る妊婦用血圧表示装置における表示部の表示例を示した説明図である。
【図４】本発明の実施形態に係る妊婦用血圧表示装置における表示部の表示例を示した説明図である。
【図５】本発明の実施形態に係る妊婦用血圧表示装置における正常範囲算出部の具体的な算出処理機能を示した説明図である。
【図６】本発明の実施形態に係る妊婦用血圧表示装置における正常範囲算出部の算出処理例を示した説明図である。
【図７】本発明の実施形態に係る妊婦用血圧表示装置における正常範囲算出部の算出処理例を示した説明図である。
【図８】本発明の他の実施形態に係る妊婦用血圧表示装置の処理機能を示したブロック図である。
【図９】本発明の他の実施形態に係る妊婦用血圧表示装置の処理機能を示したブロック図である。
【図１０】本発明の他の実施形態に係る妊婦用血圧表示装置の処理機能を示したブロック図である。
【図１１】本発明の他の実施形態に係る妊婦用血圧表示装置の処理機能を示したブロック図である。
【図１２】本発明の他の実施形態に係る妊婦用血圧表示装置の処理機能を示したブロック図である。
【図１３】本発明の他の実施形態に係る妊婦用血圧表示装置の処理機能を示したブロック図の一部である。
【図１４】本発明の他の実施形態に係る妊婦用血圧表示装置の警告表示を行う場合の表示例を示した説明図である。
【図１５】ネットワークを利用した妊婦用血圧表示装置の構成例を示した説明図である。
【図１６】本発明の実施形態に係る妊婦用血圧表示装置の動作（表示方法）を説明する説明図である。
【発明を実施するための形態】
【００１０】
以下、図面を参照しながら本発明の実施形態を説明する。図１は本発明の一実施形態に係る妊婦用血圧表示装置のシステム構成例を示した説明図である。妊婦用血圧表示装置１は、例えば、装置本体１Ａと血圧計測器２によって構成することができる。装置本体１Ａは、演算処理装置１０、表示器３、操作入力器４などを備えており、血圧計測器２で計測された計測信号、操作入力器４からの入力信号などが演算処理装置１０に入力され、演算処理装置１０の演算処理信号が表示器３に出力される。
【００１１】
図示のシステム構成は一例であり、血圧計測器２，表示器３，操作入力器４は、装置本体１Ａに対して内蔵されていてもよいし、外部接続されていてもよい。また、装置本体１Ａに対して血圧計測器２，表示器３，操作入力器４を外部接続する場合には、信号線を介して接続していてもよいし、通信回線を介して接続してもよい。
【００１２】
血圧計測器２は、コロトコフ方式やオシロメトリック方式などの各種の原理の血圧計測手段を用いることができる。操作入力器４は、一例として、システムの電源をＯＮ／ＯＦＦするための電源ボタン、計測の開始／終了を行うための計測ボタン、妊娠経過情報などの各種情報などを入力するための入力ボタンなどを含んでいる。演算処理装置１０は、入力信号に基づいた演算処理結果を出力するＣＰＵ、時間を計時するタイマ、入力された情報やＣＰＵからの出力情報を記憶するためのメモリなどを含んでいる。
【００１３】
図２は、本発明の実施形態に係る妊婦用血圧表示装置の処理機能を示したブロック図である。前述した演算処理装置１０は、その基本機能として、少なくとも血圧計測部１１，妊娠経過暦算出部１２，正常範囲算出部１３，表示部１４を備えている。また、この基本機能を実現するために計時部１５，操作入力部１６などを必要に応じて備えている。前述した各部の機能は、ユーザ登録された個人単位に構成することができ、一つの装置本体１Ａを複数のユーザが使用する場合は、登録されたユーザの数だけ前述した各部の機能が構成されることになる。
【００１４】
血圧計測部１１は、腕帯（カフ）などを含む血圧計測器２から入力される計測信号に基づいて、計測された血圧値を表示部１４に出力する機能を有する。血圧値としては、例えば最大血圧値と最低血圧値であり、血圧計測器２からの計測信号が入力される毎に最大血圧値と最低血圧の両方又は一方を表示部１４に出力する。
【００１５】
妊娠経過暦算出部１２は、入力された妊娠経過情報と計時情報によって妊娠経過情報入力後の妊娠経過暦を算出する機能を有する。妊娠経過情報は、一人のユーザの妊娠経過に関する情報であり、入力時に妊娠何ヶ月であるか、出産予定日が何月何日であるか、或いは最終月経初日が何月何日であるかといった情報である。この妊娠経過情報は、キーボードなどの操作入力器４から操作入力部１６を介して妊娠経過暦算出部１２に入力することができる。計時情報は、例えば演算処理装置１０のタイマから得られる情報であり、計時部１５がこの計時情報を出力する機能を有している。計時部１５は操作入力部１６から入力された操作入力信号によって現在日時が設定され、現在日時の設定後には計時情報として現在の日時を経時的に出力する。
【００１６】
例えば、ユーザが操作入力器４にて最終月経初日を入力すると、演算処理装置１０のメモリにその情報が記憶される。その後、妊娠経過暦算出部１２は、計時部１５から得られる現在の日時情報とメモリに記憶された最終月経初日の情報から現在の妊娠経過暦を算出する。この妊娠経過暦は、ユーザが妊娠経過情報を入力した後に時間経過と共に進行する妊娠経過を日時に対応させた情報である。したがって、ここでの妊娠経過暦は、カレンダー上の暦（月日）と妊娠経過月日を共に含んだ情報である。この妊娠経過暦の出力形態としては、妊娠経過日数、妊娠経過週数、妊娠経過月数などの任意の単位で出力することができる。
【００１７】
正常範囲算出部１３は、妊娠経過暦算出部１２が算出した妊娠経過暦によって変動する血圧正常範囲を算出する機能を有する。ここで出力される血圧正常範囲は、正常な血圧範囲を示す数値範囲の情報であり、妊娠経過暦の入力毎に演算処理によって求められるものであってもよいし、妊娠経過暦に対応してデータベース化されたテーブルから妊娠経過暦の入力毎に引き出されるものであってもよい。算出処理の具体例は後述するが、正常範囲算出部１３からの出力は、単なる妊娠経過によって変動する正常範囲だけでなく、季節情報（春夏秋冬の情報、或いはカレンダー上の１月〜１２月の情報）などを考慮に入れた上で変動する正常範囲である。
【００１８】
表示部１４は、血圧計測部１１が出力した血圧値と正常範囲算出部１３が出力した血圧正常範囲を合わせて表示する機能を有する。表示の形態は、数値による表示とグラフ（線図）などによるイメージ表示のいずれか又は両方であり、計測された血圧値とその血圧値の計測時における血圧正常範囲が同時に視認できるように表示される。
【００１９】
このような特徴を有する妊婦用血圧表示装置１は、計測された血圧値とその血圧値が計測された時点の血圧正常範囲が合わせて表示されるので、血圧値の評価者は、計測された血圧値が正常であるか否かを迅速且つ正確に評価することができる。この際に表示される血圧正常範囲は、妊娠経過暦によって変動するものであるが、妊婦用血圧表示装置１は、入力された妊娠経過情報と計時情報によって妊娠経過情報入力後の妊娠経過暦を算出する妊娠経過暦算出部１２と、妊娠経過暦によって変動する血圧正常範囲を算出する正常範囲算出部１３を備えるので、煩雑な計算を血圧値の計測毎に行うこと無く、妊娠経過や季節経過を考慮した血圧正常範囲を迅速且つ適正に得ることができる。
【００２０】
図３及び図４は、妊婦用血圧表示装置１における表示部の表示例を示した説明図である。図３は、数値表示の例である。この例では、計測された血圧値として「最高血圧」と「最低血圧」を数値表示しており、これに合わせて計測時点の「正常範囲」を下限値と上限値を示すことで数値表示している。またこれに加えて、計測時の「妊娠月」（妊娠経過月数）、計測時に同時に計測される脈拍値、出産予定日などを同時に表示するようにしてもよい。
【００２１】
図４（ａ）〜（ｃ）はグラフ表示の例である。前述した数値表示と図４（ａ）〜（ｃ）に示すグラフ表示は組み合わせて表示するようにしてもよい。図４（ａ）の例は、妊娠経過暦に対する血圧正常範囲の変動曲線を表示すると共に、計測された血圧値を計測時の妊娠経過暦に対応させてプロット表示している。ここでの変動曲線は、例えば、正常妊婦を対象にした臨床研究によって統計的に求められる正常血圧の上限曲線ａと下限曲線ｂと平均曲線ｃである。この変動曲線のグラフ表示の中に、計測された血圧値（例えば最高血圧）ｄを計測時の妊娠経過暦に対応させてプロット表示することで、計測された血圧値が正常範囲内の値であるか否かを即座に評価することができる。この例のグラフ表示においては、出産予定日が合わせて表示されており、表示部１４は、変動曲線（上限曲線ａ，下限曲線ｂ，平均曲線ｃ）を妊娠経過情報の入力時から出産予定日まで表示している。出産予定日は、入力された妊娠経過暦情報と計時部１５が出力する計時情報に基づいて妊娠経過暦算出部１２が算出する。
【００２２】
図４（ｂ）の例は、図４（ａ）の例の変形例である。この例では、妊娠期間を初期，中期，後期などに分けて、各期での血圧正常範囲を上限線ａ１，ａ２，ａ３と下限線ｂ１，ｂ２，ｂ３で示している。図示のように上限線ａ１，ａ２，ａ３と下限線ｂ１，ｂ２，ｂ３の間に平均線ｃ１，ｃ２，ｃ３を合わせて表示してもよい。この例においても、血圧正常範囲のグラフ表示の中に計測された血圧値ｄを計測時の妊娠経過暦に対応させてプロット表示しており、血圧正常範囲のグラフ表示は妊娠経過情報の入力時から出産予定日まで表示されている。
【００２３】
図４（ｃ）の例も、図４（ａ）の例の変形例である。この例は、図４（ａ）と同様に、妊娠経過暦に対する血圧正常範囲の変動曲線（上限曲線ａ，下限曲線ｂ，平均曲線ｃ）を表示すると共に、計測された血圧値ｄを計測時の妊娠経過暦に対応させて表示している。この例では、血圧正常範囲の上限曲線ａを、正常妊婦を対象にした臨床研究によって統計的に求められる平均＋２×標準偏差で示しており、それに加えて、同様に統計的に求められる平均＋標準偏差の曲線ａ’を合わせて表示している。また、血圧値ｄに加えて、過去に計測された血圧値ｄ１，ｄ２，ｄ３，ｄ４を合わせて表示している。下限曲線ｂは、平均−標準偏差で示している。
【００２４】
図５は、図２に示した正常範囲算出部１３の具体的な算出処理機能を示した説明図である。正常範囲算出部１３は、妊娠経過暦算出部１２の出力に基づいて、妊娠経過に対する正常血圧変動情報Ｆとその他の正常血圧変動情報Ｇ，Ｈなどから血圧正常範囲を算出する。ここでの正常血圧変動情報とは、正常血圧を変動させる各種のパラメータ（要因）によって関係付けられる情報であり、例えば、正常妊婦を対象にした臨床研究などによって統計的に求められた情報である。この正常血圧変動情報Ｆ，Ｇ，Ｈなどは、例えば、正常血圧を変動させる各種のパラメータに関連づけたデータベースとして演算処理装置１０のメモリや外部のメモリに記憶されている。
【００２５】
妊娠経過に対する正常血圧変動情報Ｆは、例えば、妊娠経過暦をｐ、年齢をｑ、ＢＭＩ（Body Mass Index）をｒとすると、これらを変動パラメータとした関数（例えば、多変量解析などで統計的に求められる関数）Ｆ(p,q,r)として表すことができる。また、その他の正常血圧変動情報Ｈは、例えば、血圧レベルｓをパラメータとする関数Ｈ(s)として表すことができる。この際、関数Ｆ(p,q,r)を正常範囲の中央値を決める情報とし、関数Ｈ(s)を変動範囲の上限と下限の幅を決める情報とすると、正常範囲算出部１３は、下記式（１）によって血圧正常範囲ＮＲを算出する。
ＮＲ＝Ｆ(p,q,r)±Ｈ(s)  …（１）
ここでの正常血圧変動情報Ｈは、正常範囲の上限と下限の幅に関係するが、その幅は血圧レベルｓによって変化する。これは一般に知られている血圧レベルが高くなるほどその血圧の変動性が大きくなることを統計的に表した情報である。
【００２６】
正常範囲算出部１３が、妊娠経過暦算出部１２から出力される妊娠経過暦ｐに基づいて、上記の（１）式によって血圧正常範囲ＮＲを算出する場合には、正常血圧変動情報Ｈによって、血圧上昇に伴って正常範囲の幅が大きくなるようなシステムを実現することができる。この場合、年齢（ｑ），ＢＩＭ（ｒ）は初期値として入力された情報を記憶しておいて演算処理に用いてもよいし、計測毎に入力して演算処理に用いてもよい。血圧レベルｓは計測毎の血圧値を用いることができる。
【００２７】
次に、その他の正常血圧変動情報Ｇが、季節変化に対する正常血圧変動情報である場合を説明する。ここでは、妊娠経過暦算出部１２が出力する妊娠経過暦ｐを妊娠経過週数ｐ１と季節ｔに分けて説明する。ここでの正常血圧変動情報Ｇ(p1,t)は、季節ｔと妊娠経過週数ｐ１の関数である。この場合、正常血圧算出部１３は、下記式（２）によって正常血圧範囲ＮＲを算出する。
ＮＲ＝Ｆ(p1,q,r)±Ｇ(p1,t)±Ｈ(s)  …（２）
正常血圧変動情報Ｆ，Ｈは、前述したとおりであり、式（２）は式（１）にＧ(p1,t)による血圧変動が加わったものである。ここでの季節ｔは、１年を３ヶ月毎に分けた春夏秋冬の単位であってもよいし、１年を１ヶ月毎に分けた１月〜１２月の単位であってもよい。また、１年を２ヶ月或いは４ヶ月毎に分けた単位であってもよい。
【００２８】
図６は、式（２）によって血圧正常範囲を算出する図５に示した正常範囲算出部１３の算出処理例を示した説明図である。図６（ａ）は、正常血圧変動情報Ｆ(p1,q,r)±Ｈ(s)によって求められる血圧正常範囲を、妊娠経過週数ｐ１を横軸、血圧を縦軸にして示したグラフである。ここでは、妊娠経過週数毎の血圧正常範囲が上限曲線ａと下限曲線ｂによって表され、その間に平均曲線ｃが示されている。この情報では、妊娠経過の初期から中期にかけて血圧が低下し、中期から後期にかけて血圧が上昇する傾向が示されている。
【００２９】
図６（ｂ）は、正常血圧変動情報Ｇ(p1,t)を、季節ｔを横軸、血圧を縦軸にして示したグラフである。この情報では、春（４月，５月）から夏（７月，８月）にかけて血圧が下がり、秋（９月，１０月）から冬（１月，２月）にかけて血圧が上がる傾向が示されている。
【００３０】
図６（ｃ）は、式（２）を、妊娠経過暦ｐを横軸、血圧を縦軸にして示したグラフである。このグラフは、図６（ａ）に示した正常血圧変動情報Ｆ(p1,q,r)±Ｈ(s)に正常血圧変動情報Ｇ(p1,t)による補正を行ったものである。式（２）によって算出される妊娠経過暦ｐ毎の血圧正常範囲ＮＲは、各妊娠経過週数が春夏秋冬或いは１月から１２月のいずれの季節に対応するかによって異なる変動曲線（上限曲線ａ、下限曲線ｂ、平均曲線ｃ）を示すことになる。すなわち、出産予定日が７月頃になる夏出産の例では、妊娠経過週数毎の血圧正常範囲ＮＲの変動が少ない曲線になり、出産予定日が１月頃になる冬出産の例では、妊娠経過週数毎の血圧正常範囲ＮＲの変動傾向がより大きい曲線になる。
【００３１】
次に、その他の正常血圧変動情報Ｇが、環境温度に対する正常血圧変動情報である場合を説明する。この場合は、正常範囲算出部１３は、計測された環境温度に応じて下記式（３）によって血圧正常範囲ＮＲを算出する。
ＮＲ＝Ｆ(p,q,r)±Ｇ(u)±Ｈ(s)  …（３）
ここでの正常血圧変動情報Ｇは、計測された環境温度と基準温度との差を表す変数ｕによって補正値を決定する関数Ｇ(u)である。
【００３２】
図７は、式（３）によって血圧正常範囲を算出する図５に示した正常範囲算出部１３の算出処理例を示した説明図である。図７（ａ）は、補正値を決定する関数Ｇ(u)の例を示した説明図である。一般に血圧値は環境温度が上がると低下する傾向がある。図示の例の場合は、血圧計測時における環境温度と基準値との差ｕが１℃であった場合に、補正値Ｇ(u)は−２ｍｍＨｇとなり、血圧正常範囲ＮＲを妊娠経過暦毎に２ｍｍＨｇ減少させる。ここでの基準温度は、全妊娠期間に亘って共通の値を使用してもよいし、より厳密に補正を行うために、妊娠経過に伴って変動する基準値を用いてもよい。
【００３３】
図７（ｂ）に示すように、妊娠経過暦ｐ毎の血圧正常範囲を示す変動曲線（上限曲線ａ，下限曲線ｂ，平均曲線ｃ）に対して、計測された環境温度が曲線ｅのように変動する場合には、このように変動する環境温度によって補正値Ｇ(u)が求められ、図７（ｃ）に示すように変動曲線（上限曲線ａ，下限曲線ｂ，平均曲線ｃ）が補正され、正常範囲算出部１３は、上限曲線ａと下限曲線ｂとの差によって妊娠経過暦ｐ毎の血圧正常範囲ＮＲを算出する。
【００３４】
図８〜図１２は、本発明の他の実施形態に係る妊婦用血圧表示装置の処理機能を示したブロック図であり、前述した式（３）によって血圧正常範囲を算出する場合の形態例を示している。図２に示した形態例と同一の機能部は同一符号を付して重複説明を省略する。
【００３５】
図８〜図１２に示した例は、いずれも演算処理装置１０が環境温度出力部１７を備えている。環境温度出力部１７は環境温度の情報を正常範囲算出部１３に出力する。正常範囲算出部１３は入力された環境温度の情報に基づいて、式（３）の算出処理によって血圧正常範囲ＮＲを出力する。
【００３６】
図８に示した例は、操作入力器４から手入力された信号が操作入力部１６を介して環境温度出力部１７に入力され、環境温度出力部１７がこれに基づいて環境温度を出力する。この例では、血圧計測器２からの計測信号が入力される毎に操作入力器４から信号を入力し、これに基づいて環境温度出力部１７が環境温度を出力する。
【００３７】
図９〜図１１の例は、いずれも温度計測手段６によって計測された計測信号に基づいて、環境温度出力部１７が環境温度を出力する。図９に示した例は、温度計測手段６が装置本体１Ａに内蔵されている。図１０に示した例は、温度計測手段６が血圧計測器２（血圧計測手段）に内蔵されている。図１１に示した例は、遠隔の温度計測手段６によって得た情報に基づいて、環境温度出力部１７が環境温度を出力する。
【００３８】
図１２に示した例は、演算処理装置１０が公共データアクセス手段１８を備えており、公共データアクセス手段１８から得た情報に基づいて環境温度出力部１７が環境温度を出力する。公共データアクセス手段１８は、公衆回線を介して環境温度情報を提供するサーバなどに接続されており、このサーバなどから得られる情報を環境温度出力部１７に送信している。
【００３９】
図１３は、本発明の他の実施形態に係る妊婦用血圧表示装置の処理機能を示したブロック図の一部である。この形態例は、血圧計測部１１の出力と正常範囲算出部１３の出力に基づいて血圧値が正常であるか否かを判定する正常範囲判定部１９を備えており、表示部１４は正常範囲判定部１９の判定結果を表示する。図１３（ａ）に示した例は、表示部１４が、計測された血圧値と共に、正常範囲算出部１３の出力と正常範囲判定部１９の出力の両方を表示する例であり、図１３（ｂ）に示した例は、表示部１４が、計測された血圧値と共に、正常範囲判定部１９の出力を表示する例である。図１３（ａ）又は図１３（ｂ）に示したＡ部を図２、図８〜図１２に示した各例のブロック図のＡ部と置き換えることで、図２、図８〜図１２に示した各例に正常範囲判定部１９を組み込むことができる。
【００４０】
正常範囲判定部１９は、血圧計測部１１が出力する血圧値と正常範囲算出部１３が出力する血圧正常範囲ＮＲとを比較して、計測された血圧値が血圧正常範囲ＮＲ内にあるか否かを判定する。この際の表示部１４は、計測された血圧値が血圧正常範囲ＮＲを逸脱した場合に警告表示をおこなうことができる。
【００４１】
図１４は、前述した警告表示を行う場合の表示例を示している。この表示例では、妊娠経過暦ｐに対する血圧正常範囲ＮＲの変動曲線（上限曲線ａ，下限曲線ｂ，平均曲線ｃ）を表示すると共に、計測された血圧値ｄを計測時の妊娠経過暦に対応させて表示している。この例では、血圧正常範囲の上限曲線ａを、正常妊婦を対象にした臨床研究によって統計的に求められる平均＋２×標準偏差で示しており、それに加えて、同様に統計的に求められる平均＋標準偏差の曲線ａ’を合わせて表示している。また、血圧値ｄに加えて、過去に計測された血圧値ｄ１，ｄ２，ｄ３，ｄ４，ｄ５を合わせて表示している。下限曲線ｂは、平均−標準偏差で示している。計測された血圧値ｄが血圧正常範囲ＮＲを逸脱した場合には、プロット表示の表示色を変えて警告表示する。
【００４２】
前述した演算処理装置１０内における各部の機能は、演算処理装置１０に組み込んだプログラムによって動作させることができる。したがって、本発明の実施形態に係る妊婦用血圧表示装置１の機能は、プログラムとして提供することができる。このようなプログラムは、コンピュータに付属するフレキシブルディスク、ＣＤ−ＲＯＭ、ＲＯＭ、ＲＡＭ、メモリーカードなどのコンピュータが読み取り可能な記録媒体に記録させるか、或いはネットワークを介したダウンロードによってプログラムとして提供することができる。また、コンピュータに内蔵するハードディスクなどの記録媒体に記録させて、プログラム或いはプログラムを備えた装置として提供することができる。
【００４３】
図１５は、ネットワークを利用した妊婦用血圧表示装置の構成例を示した説明図である。ここでのシステム構成は、インターネットなどのネッドワーク２０と、このネットワーク２０に接続されたサーバ２１と、ネットワーク２０を介してサーバ２１に接続可能な単数又は複数のＰＣ端末２２によって構成される。サーバ２１は、前述した血圧計測部１１，妊娠経過暦算出部１２，正常範囲算出部１３，表示部１４，計時部１５，操作入力部１６などのプログラムを備えた演算処理装置１０を備えており、ＰＣ端末２２には血圧計測器２が接続され、ＰＣ端末２２自身が表示器３，操作入力器４，演算処理装置１０を備えている。
【００４４】
このようなシステム構成においては、先ず、サーバ２１によって妊婦用血圧表示装置１を構成することができる。これによると、ＰＣ端末２２に接続された血圧計測器２によって計測された計測信号がＰＣ端末２２からネットワーク２０を介してサーバ２１に送信され、また、ＰＣ端末２２が備える操作入力器４によって入力される操作信号がＰＣ端末２２からネットワーク２０を介してサーバ２１に送信される。そして、サーバ２１における演算処理装置１０の演算処理結果である血圧値と血圧値の計測時における血圧正常範囲が、ネットワーク２０を介してＰＣ端末２２の表示器３に表示される。また、サーバ２１の演算処理装置１０が備えるプログラムを、ネットワーク２０を介してＰＣ端末２２にダウンロードすることで、ＰＣ端末２２自体を妊婦用血圧表示装置１として機能させることもできる。
【００４５】
図１６は、前述した妊婦用血圧表示装置の動作（表示方法）を説明する説明図（動作フロー）である。先ず、妊婦用血圧表示装置１に対して日時設定を行う（Ｓ１：日時設定工程）。装置を最初に起動したときに表示器３の初期画面が日時設定画面になり、操作入力器４などによって現在の日時を入力することで、計時部１５から出力される計時情報が時々刻々と変化する日時情報になる。
【００４６】
次に、ユーザ（被計測者）の妊娠経過情報を入力する（Ｓ２：妊娠経過情報入力工程）。日時設定が完了すると表示器３の入力画面が妊娠情報入力画面に切り替わり、ユーザは操作入力器４などによって自身の妊娠経過情報を入力する。妊娠経過情報は、最終月経初日、現在の妊娠経過週、出産予定日などである。
【００４７】
妊娠経過情報が入力されると、この妊娠経過情報と計時情報（日時情報）によって妊娠経過暦が算出される（Ｓ３：妊娠経過暦算出工程）。すなわち、妊娠経過情報が入力されると、妊婦用血圧表示装置１は時々刻々変化する計時情報に合わせてユーザの妊娠経過の進行を妊娠経過暦として出力することが可能になる。
【００４８】
その後に、血圧計測器２を作動させてユーザの血圧を計測する（Ｓ４：血圧計測工程）。血圧計測器２によって計測された計測信号は演算処理装置１０に送信され、演算処理装置１０での演算処理が行われる。演算処理装置１０は、血圧計測器２から計測信号が送られてくる毎にその時点を記憶する。
【００４９】
演算処理装置１０の正常範囲算出部１３は、妊娠経過暦算出部１２が出力した妊娠経過暦に基づいて、前述した式（１）〜（３）のいずれかによって血圧正常範囲ＮＲを算出する（Ｓ５：血圧正常範囲算出工程）。正常範囲算出部１３は、血圧計測器２から計測信号が入力され、血圧計測部１１が血圧値を出力する毎に計測時の血圧正常範囲ＮＲを出力する。
【００５０】
その後、演算処理装置１０は、必要に応じて、正常範囲判定部１９によって計測された血圧値が血圧正常範囲ＮＲ内にあるか否か、或いは、計測された血圧値が血圧正常範囲ＮＲを逸脱した異常値であるか否かを判定する（Ｓ６：正常範囲判定工程（異常判定工程））。
【００５１】
演算処理装置１０の表示部１４は、血圧計測部１１が出力する血圧値と正常範囲算出部１３が出力する血圧計測時における血圧正常範囲ＮＲを合わせて表示器３に表示させる（Ｓ７：表示工程）。演算処理装置１０が正常範囲判定部１９を備える場合には、計測された血圧値が血圧正常範囲ＮＲ内にあるか否か、或いは、計測された血圧値が血圧正常範囲ＮＲを逸脱した異常値であるか否かの判定結果が合わせて表示器３に表示される。
【００５２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００５３】
１：妊婦用血圧表示装置，２：血圧計測器，
３：表示器，４：操作入力器，
１０：演算処理装置，
１１：血圧計測部，１２：妊娠経過暦算出部，１３：正常範囲算出部，
１４：表示部，１５：計時部，１６：操作入力部，１７：環境温度出力部，
１８：公共データアクセス手段，１９：正常範囲判定部
【図１】
2013165831.tif 000003
【図２】
2013165831.tif 000004
【図３】
2013165831.tif 000005
【図４】
2013165831.tif 000006
【図５】
2013165831.tif 000007
【図６】
2013165831.tif 000008
【図７】
2013165831.tif 000009
【図８】
2013165831.tif 000010
【図９】
2013165831.tif 000011
【図１０】
2013165831.tif 000012
【図１１】
2013165831.tif 000013
【図１２】
2013165831.tif 000014
【図１３】
2013165831.tif 000015
【図１４】
2013165831.tif 000016
【図１５】
2013165831.tif 000017
【図１６】
2013165831.tif 000018